(57)【特許請求の範囲】
【請求項１】
前方に光を出射する照明器具であって、
光を出射する器具本体と、
前記器具本体に連結され、前記器具本体から出射される光を前記前方に導く筒形状の枠体とを備え、
前記器具本体は、
光源と、
前記光源から出射される光を前記前方に反射させる反射面で囲まれた開口を有する反射部とを有し、
前記枠体は、
前記光源から出射される光の光軸と直交する方向に配置された透光板と、
前記透光板が前記前方に移動するのを規制する規制部とを有し、
前記反射部には、前記透光板を前記規制部に押し付ける方向に付勢するばね部が形成されている
照明器具。
【請求項２】
前記枠体は、さらに、前記器具本体から出射される光を前記前方に反射させる内周面を有する筒体を有し、
前記透光板は、前記筒体の前記前方側に配置され、
前記ばね部は、前記筒体を介して前記透光板を前記規制部に押し付ける方向に付勢する
請求項１記載の照明器具。
【請求項３】
前記反射部は、さらに、前記開口の外側に形成され、かつ、前記前方を向く支持面を有し、
前記ばね部は、前記支持面を切り欠いて形成された板ばね構造の片である
請求項１又は２記載の照明器具。
【請求項４】
前記片は、
前記支持面に接続され、かつ、前記支持面から前記前方に向けて立つ根元部と、
前記根元部に接続され、かつ、前記支持面に平行に延びる延在部とから構成される
請求項３記載の照明器具。
【請求項５】
前記反射部が有する開口は、前記前方から見た形状が円形であり、
前記片は、前記前方から前記支持面を見たときに、前記反射部が有する開口の中心から放射状に広がる方向に沿って延びている
請求項４記載の照明器具。
【請求項６】
前記ばね部は、前記支持面の少なくとも２か所に形成されている
請求項３〜５のいずれか１項に記載の照明器具。
【発明の詳細な説明】
【技術分野】
【０００１】
本発明は、照明器具に関する。
【背景技術】
【０００２】
従来、照明器具として、例えば、ダウンライトのように天井に埋設されて下方に光を照射する天井埋込型の照明器具、あるいは、地中に埋設されて上方に光を照射する地中埋込型の照明器具等が知られている。例えば、特許文献１には、天井埋込型の照明器具が開示されている。
【０００３】
この種の照明器具は、ＬＥＤ（Ｌｉｇｈｔ  Ｅｍｉｔｔｉｎｇ  Ｄｉｏｄｅ）等の発光素子を有する光源と、光源からの光を内周面で反射させる筒形状の反射部とを備える。また、光源に人の指等が触れることで人が火傷をしたり光源が破損されたりすることを防止するために、反射部の前方（光が出射される方向）に透光板が配置される。透光板は、透光性を有し、反射部と照明器具の構成部材とで挟まれた位置に配置される。
【先行技術文献】
【特許文献】
【０００４】
【特許文献１】特開２０１１−２１０６２１号公報
【発明の概要】
【発明が解決しようとする課題】
【０００５】
ところで、照明器具に設けられる透光板は、照明器具の点灯時における熱膨張、及び、寸法公差を考慮して、周りの構造物との間に一定の隙間（クリアランス）が設けられる。そのために、従来の照明器具では、透光板ががたつくという問題がある。
【０００６】
ここで、透光板と周りの構造物との間にパッキンを入れることで、透光板のがたつきを軽減する方法が考えられる。しかしながら、このような方法では、照明器具が高価になってしまう。
【０００７】
そこで、本発明は、このような問題を解決するためになされたものであり、安価な方法で透光板のがたつきを抑えた照明器具を提供することを目的とする。
【課題を解決するための手段】
【０００８】
上記目的を達成するために、本発明に係る照明器具の一態様は、前方に光を出射する照明器具であって、光を出射する器具本体と、器具本体に連結され、器具本体から出射される光を前方に導く筒形状の枠体とを備える。器具本体は、光源と、光源から出射される光を前方に反射させる反射面で囲まれた開口を有する反射部とを有する。枠体は、光源から出射される光の光軸と直交する方向に配置された透光板と、透光板が前方に移動するのを規制する規制部とを有する。反射部には、透光板を規制部に押し付ける方向に付勢するばね部が形成されている。
【発明の効果】
【０００９】
本発明によれば、安価な方法で透光板のがたつきを抑えた照明器具が実現される。
【図面の簡単な説明】
【００１０】
【図１】本発明の実施の形態１における照明器具の外観斜視図
【図２】図１に示される照明器具の分解斜視図
【図３Ａ】図１に示される照明器具の断面図
【図３Ｂ】図３Ａに示される器具本体と上部枠体との連結箇所を拡大して示す断面図
【図４Ａ】図３Ａ及び図３Ｂに示される器具本体、筒体、及び、透光板の分解斜視図
【図４Ｂ】図４Ａに示される反射部の拡大斜視図
【図５】本発明の実施の形態２における照明器具の外観斜視図
【図６】図５に示される照明器具の断面図
【図７Ａ】図６に示される反射部の外観斜視図
【図７Ｂ】図７Ａに示される反射部に設けられたばね部の拡大斜視図
【発明を実施するための形態】
【００１１】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態１）
まず、本発明の実施の形態１における照明器具について説明する。
【００１４】
図１は、本発明の実施の形態１における照明器具２の外観斜視図である。図２は、図１に示される照明器具２の分解斜視図である。なお、各図において、照明器具から出射される光の光軸を一点鎖線で示し、光が進む方向（図１の下方向）を「前方」、その反対方向を「後方」と呼ぶ（以下の図においても同様）。
【００１５】
図１及び図２に示されるように、照明器具２は、前方に光を出射する照明器具であって、光を出射する器具本体１０と、器具本体１０に連結され、器具本体１０から出射される光を前方に導く筒形状の枠体４０とを備える。本実施の形態では、照明器具２は、天井等に埋設される埋込型の照明器具である。なお、この照明器具２は、図示されていない電源モジュールからの電力の供給を受けて光を出射する。
【００１６】
照明器具２は、住居の天井、壁、又は、地面に設けられた固定部材等の構造物に形成された凹部、溝、又は、孔に埋め込まれて取り付けられ、例えば、直径が約１０ｃｍで長さが約２５ｃｍの円柱形状を有する。
【００１７】
枠体４０は、天井等の構造物に固定される筒体（本実施の形態では、略円筒体）であり、器具本体１０と連結される上部枠体２０と、上部枠体２０に連結される下部枠体３０とから構成される。
【００１８】
下部枠体３０は、照明器具２が構造物の孔等に差し込まれたときに孔を押し広げる方向に孔の内周面を付勢する板ばね３２を有する。照明器具２は、この板ばね３２の付勢力によって構造物に固定される。
【００１９】
図３Ａは、図１に示される照明器具２を、図１に示される断面指示線３Ａ及び光軸を含む面で切断して得られる断面を図１に示される方向（図面に向かって手前から奥方向）から見た断面図である。図３Ｂは、図３Ａに示される器具本体１０と上部枠体２０との連結箇所を拡大して示す断面図である。
【００２０】
図３Ａ及び図３Ｂに示されるように、器具本体１０は、ヒートシンク１２、光源１４、及び、反射部１６を有する。
【００２１】
ヒートシンク１２は、光源１４と熱的に接続され、光源１４で発生する熱を空中に放熱する部材であり、例えば、アルミダイカスト製の冷却フィンである。
【００２２】
光源１４は、光を出射する部材であり、例えば、ＣＯＢ（Ｃｈｉｐ  Ｏｎ  Ｂｏａｒｄ）タイプのＬＥＤ光源である。
【００２３】
反射部１６は、光源１４から出射される光を前方に反射させる反射面１６ａで囲まれた開口１６ｂを有する部材であり、例えば、ポリブチレンテレフタレート（ＰＢＴ）等の硬質の白色樹脂材料による一体成型品である。開口１６ｂは、光軸に垂直な断面における開口径が前方に向けて徐々に大きくなる漏斗形状を有する。
【００２４】
また、図３Ａ及び図３Ｂに示されるように、上部枠体２０は、筒体２２、透光板２４、及び、規制部２６を有する。
【００２５】
筒体２２は、器具本体１０から出射される光を前方に反射させる内周面を有する部材であり、例えば、光軸に垂直な断面における開口径が前方に向けて徐々に大きくなる漏斗構造を有するアルミニウム製の筒体である。
【００２６】
透光板２４は、光源１４から出射される光の光軸と直交する方向に配置された透光性の板体であり、例えば、厚さが約２ｍｍ、前方から見た外形が円形で、透光性のアクリルやポリカーボネート等の樹脂又はガラスによって構成される光学部材である。この透光板２４は、照明器具２の点灯時における熱膨張、及び、寸法公差を考慮して、周りの構造物との間に一定の隙間（クリアランス、例えば、約１ｍｍ程度の間隔）が設けられている。
【００２７】
なお、透光板２４は、無色であってもよいし、青、赤等の有色であってもよい。さらに、透光板２４は、光を透過させ、かつ、外部から光源への物の侵入を防ぐだけでなく、光を拡散又は集光させるために、表面に模様又は凹凸が加工されたり、内部に光拡散剤等の粒子が分散されたりしてもよい。
【００２８】
規制部２６は、透光板２４が前方に移動するのを規制する部材であり、本実施の形態では、上部枠体２０が有する金属製の匡体の内周面に周回状に形成された約３ｍｍの高さ（内周面から光軸に向かう高さ）の突起である。
【００２９】
ここで、特徴的な構造は、反射部１６に、透光板２４を規制部２６に押し付ける方向に付勢するばね部１７及び１８が形成されていることである。本実施の形態では、透光板２４は、筒体２２の前方側に配置されている。そして、ばね部１７及び１８は、筒体２２の後端部（光源１４側の端部）に接している。よって、ばね部１７及び１８は、筒体２２を介して透光板２４を規制部２６に押し付ける方向に付勢している。なお、本実施の形態では、ばね部１７及び１８が筒体２２を介して透光板２４を規制部２６に押し付けることができるように、光軸方向に筒体２２が少しだけ移動（約１ｍｍ程度の移動が）できるように筒体２２が上部枠体２０内に収納されている。
【００３０】
このように、本実施の形態における照明器具２では、透光板２４は、反射部１６に形成されたばね部１７及び１８によって、規制部２６に押し付けられる方向に付勢される。本実施の形態では、透光板２４は、ばね部１７及び１８によって、筒体２２を介して（間接的に）、規制部２６に押し付けられる方向に付勢される。これにより、透光板２４のがたつきが抑制される。さらに、ばね部１７及び１８は、透光板２４のがたつきを抑えるためのパッキン等の専用の部材ではなく、反射部１６に形成されているので、がたつき抑制のための専用部材が不要となる。よって、安価な方法で透光板２４のがたつきが抑えられる。
【００３１】
以下、図４Ａ及び図４Ｂを用いて、反射部１６に形成されたばね部１７及び１８の構造について、より詳細に説明する。図４Ａは、図３Ａ及び図３Ｂに示される器具本体１０（ヒートシンク１２、光源１４、反射部１６）、筒体２２、及び、透光板２４の分解斜視図である。図４Ｂは、図４Ａに示される反射部１６の拡大斜視図である。
【００３２】
図４Ａ及び図４Ｂに示されるように、反射部１６は、開口１６ｂの外側（光軸から離れた位置）に形成され、かつ、前方を向く支持面１９を有する。そして、ばね部１７及び１８は、支持面１９を切り欠いて形成された板ばね構造の片である。このような片で構成されるばね部１７及び１８ｂによって、筒体２２を介して、透光板２４が規制部２６に押し付けられる方向に付勢される。このように、ばね部１７及び１８は、反射部１６が有する支持面１９を切り欠くことで形成されるので、特別な材料を追加することなく、安価な方法で透光板２４のがたつきが抑えられる。
【００３３】
より詳しくは、図４Ｂに示されるように、ばね部１７を構成する片は、支持面１９に接続され、かつ、支持面１９から前方に向けて立つ根元部１７ａと、根元部１７ａに接続され、かつ、支持面１９に平行に延びる延在部１７ｂとから構成される。同様に、ばね部１８を構成する片は、支持面１９に接続され、かつ、支持面１９から前方に向けて立つ根元部１８ａと、根元部１８ａに接続され、かつ、支持面１９に平行に延びる延在部１８ｂとから構成される。このように、ばね部１７及び１８は、それぞれ、支持面１９に平行に延びる延在部１７ｂ及び１８ｂを有するので、線状の領域にわたって透光板２４を規制部２６に押し付ける方向に付勢する力を発揮する。これにより、確実に、透光板２４のがたつきが抑制される。
【００３４】
なお、ばね部１７及び１８の先端（延在部１７ｂ及び１８ｂの先端）は、図４Ａ及び図４Ｂに示されるように、反射部１６の開口１６ｂを囲む反射面１６ａに沿うように曲げられている。これにより、ばね部１７及び１８の形状変形が反射面１６ａによってガイドされ、安定化される。
【００３５】
ここで、反射部１６が有する開口１６ｂは、前方から見た形状が円形である。そして、ばね部１７及び１８を構成する片（延在部１７ｂ及び１８ｂ）は、前方から支持面１９を見たときに、反射部１６が有する開口１６ｂの中心から放射状に広がる方向に沿って延びている。これにより、ばね部１７及び１８と円筒構造の筒体２２の後端部とが交差し、ばね部１７及び１８が筒体２２の後端部に確実に接触する。よって、ばね部１７及び１８によって、確実に、筒体２２を介して透光板２４が規制部２６に押し付けられ、透光板２４のがたつきが抑制される。
【００３６】
また、ばね部１７及び１８は、反射部１６の支持面１９の２か所に形成されている。本実施の形態では、ばね部１７及び１８は、反射部１６の開口１６ｂをはさんで１８０度に対向する位置に形成されている。これにより、一箇所にばね部が形成される場合に比べ、より確実に、透光板２４が規制部２６に押し付けられ、透光板２４のがたつきが抑制される。
【００３７】
なお、本実施の形態では、ばね部１７及び１８は、反射部１６の支持面１９における２箇所に形成されたが、これに限られず、３箇所以上に形成されてもよい。これにより、より強い付勢力をもったばね部が形成される。
【００３８】
このように、本実施の形態における照明器具２では、透光板２４は、反射部１６の支持面１９を切り欠いて形成されたばね部１７及び１８によって、筒体２２を介して規制部２６に押し付けられる方向に付勢される。これにより、安価な方法で透光板２４のがたつきが抑えられる。
【００３９】
（実施の形態２）
次に、本発明の実施の形態２における照明器具について説明する。
【００４０】
図５は、本発明の実施の形態２における照明器具５２の外観斜視図である。図５に示されるように、照明器具５２は、前方に光を出射する照明器具であって、光を出射する器具本体６０と、器具本体６０に連結され、器具本体６０から出射される光を前方に導く筒形状の枠体９０とを備える。本実施の形態では、照明器具５２は、天井等に埋設される埋込型の照明器具である。実施の形態１と異なる点は、器具本体６０がさらに電源モジュール６１を有する点、及び、枠体９０が光軸方向に分割されない一つの構造体として構成されている点（実施の形態１のように枠体が上部枠体と下部枠体とに分離されない点）である。
【００４１】
この照明器具５２は、実施の形態１の照明器具２と同様に、住居の天井、壁、又は、地面に設けられた固定部材等の構造物に形成された凹部、溝、又は、孔に埋め込まれて取り付けられる。
【００４２】
枠体９０は、例えば、直径が約１０ｃｍで長さが約５ｃｍの円柱形状を有し、実施の形態１の枠体４０よりも光軸方向の長さが短い。そのために、この照明器具５２は、外部から枠体９０の内部にアクセスし易い（内部の構成物に触れ易い）構造となっている。
【００４３】
なお、枠体９０は、実施の形態１の枠体４０と同様に、照明器具５２が構造物の孔等に差し込まれたときに孔を押し広げる方向に孔の内周面を付勢する板ばね８２を有する。ただし、本実施の形態では、照明器具５２が実施の形態１よりも軽いことから、２個の板ばね８２が設けられている。
【００４４】
図６は、図５に示される照明器具５２を、図５に示される断面指示線６及び光軸を含む面で切断して得られる断面を図５に示される方向（図面に向かって手前から奥方向）から見た断面図である。図６に示されるように、器具本体６０は、電源モジュール６１、ヒートシンク６２、光源６４、及び、反射部６６を有する。
【００４５】
電源モジュール６１は、光源６４に電力を供給する電源回路であり、例えば、商用電源からの交流電力を入力として、入力された交流電力を直流電力に変換して光源６４に供給する定電流電源である。
【００４６】
ヒートシンク６２は、実施の形態１のヒートシンク１２と同様のものであるが、本実施の形態では、光源６４だけでなく、電源モジュール６１とも熱的に連結されている。
【００４７】
光源６４は、実施の形態１の光源１４と同様のものである。
【００４８】
反射部６６は、光源６４から出射される光を前方に反射させる反射面６６ａで囲まれた開口６６ｂを有する部材であり、例えば、ポリブチレンテレフタレート（ＰＢＴ）等の硬質の白色樹脂材料による一体成型品である。
【００４９】
また、図６に示されるように、枠体９０は、透光板７４、規制部７６、及び、筒体７２を有する。
【００５０】
透光板７４は、実施の形態１の透光板２４と同様のものである。ただし、本実施の形態では、透光板７４は、実施の形態１の透光板２４の配置位置と異なり、反射部６６と、規制部７６との間に挟まれた位置に配置される。
【００５１】
規制部７６は、透光板７４が前方に移動するのを規制する部材であり、本実施の形態では、枠体９０が有する金属製の匡体の内周面に周回状に形成された突起（内周面から光軸に向かう方向に突出する部材）である。なお、規制部７６は、枠体９０の一部でなくてもよく、筒体７２の後端部が規制部７６を兼用してもよい。その場合には、透光板７４は、反射部６６と筒体７２とに挟まれた位置に配置されることになる。
【００５２】
筒体７２は、実施の形態１における筒体２２に相当する。ただし、本実施の形態では、筒体７２は、実施の形態１の筒体２２よりも光軸方向の長さが短い（例えば、約５ｃｍ）。また、本実施の形態では、筒体７２は、光軸方向に移動できる必要がないので、枠体９０に固定されている。
【００５３】
図７Ａは、図６に示される反射部６６の外観斜視図である。ここでは、前方斜め方向から反射部６６を見た外観斜視図が示されている。図７Ｂは、図７Ａに示される反射部６６に設けられたばね部６７の拡大斜視図である。
【００５４】
図７Ａ及び図７Ｂに示されるように、反射部６６には、透光板７４を規制部７６に押し付ける方向に付勢するばね部６７〜６９が形成されている。ばね部６７〜６９は、透光板７４の裏面（光源６４に近い面）に接し、透光板７４を規制部７６に押し付ける方向に付勢している。
【００５５】
このように、本実施の形態における照明器具５２では、透光板７４は、反射部６６に形成されたばね部６７〜６９によって、規制部７６に押し付けられる方向に付勢される。これにより、透光板７４のがたつきが抑制される。さらに、ばね部６７〜６９は、透光板７４のがたつきを抑えるためのパッキン等の専用の部材ではなく、反射部６６に形成されているので、がたつき抑制のための専用部材が不要となる。よって、安価な方法で透光板７４のがたつきが抑えられる。
【００５６】
本実施の形態では、反射部６６は、開口６６ｂの外側（周縁）に形成され、かつ、前方を向く支持面７０を有する。支持面７０は、前方から見た外形が円形である。ばね部６７〜６９は、支持面７０を周方向（外形（円形）に沿う方向）に切り欠いて形成された板ばね構造の片で構成されている。このような片で構成されるばね部６７〜６９によって、透光板７４が規制部７６に押し付けられる方向に付勢される。このように、ばね部６７〜６９は、反射部６６が有する支持面７０を切り欠くことで形成されるので、特別な材料を追加することなく、安価な方法で透光板７４のがたつきが抑えられる。
【００５７】
また、図７Ｂに示されるように、ばね部６７を構成する片は、支持面７０に接続され、かつ、支持面７０から周方向に切り欠いて延びる延在部６７ａと、延在部６７ａに接続され、かつ、前方に突出して透光板７４を押圧する先端部６７ｂとから構成される。他のばね部６８及び６９についても、ばね部６７と同様の構成を備える。延在部６７ａが透光板７４を押圧する力に抗して反るように曲がることで、先端部６７ｂが透光板７４を規制部７６に押し付ける方向に付勢する。
【００５８】
また、ばね部６７〜６９は、反射部６６の支持面７０の３か所に形成されている。本実施の形態では、３つのばね部６７〜６９は、反射部６６の開口６６ｂを中心とする円周上を１２０度で３分割した位置に形成されている。これにより、支持面７０の３箇所にばね部６７〜６９が形成され、３つのばね部６７〜６９によって、円形状の透光板７４がバランスよく規制部７６に押し付けられ、透光板７４のがたつきが抑制される。
【００５９】
なお、本実施の形態では、ばね部６７〜６９は、反射部６６の支持面７０における３箇所に形成されたが、これに限られず、２箇所であってもよいし、４箇所以上に形成されてもよい。
【００６０】
このように、本実施の形態における照明器具５２では、透光板７４は、反射部６６の支持面７０を切り欠いて形成されたばね部６７〜６９によって規制部７６に押し付けられる方向に付勢される。これにより、安価な方法で透光板７４のがたつきが抑えられる。
【００６１】
以上のように、上記実施の形態における照明器具２（５２）は、前方に光を出射する照明器具である。その照明器具２（５２）は、光を出射する器具本体１０（６）と、器具本体１０（６）に連結され、器具本体１０（６）から出射される光を前方に導く筒形状の枠体４０（９０）とを備える。器具本体１０（６）は、光源１４（６４）と、光源１４（６４）から出射される光を前方に反射させる反射面１６ａ（６６ａ）で囲まれた開口１６ｂ（６６ｂ）を有する反射部１６（６６）とを有する。枠体４０（９０）は、光源１４から出射される光の光軸と直交する方向に配置された透光板２４（７４）と、透光板２４（７４）が前方に移動するのを規制する規制部２６（７６）とを有する。反射部１６（６６）には、透光板２４（７４）を規制部２６（７６）に押し付ける方向に付勢するばね部１７及び１８（６７〜６９）が形成されている。
【００６２】
これにより、透光板２４（７４）は、反射部１６（６６）に形成されたばね部１７及び１８（６７〜６９）によって、規制部２６（７６）に押し付けられる方向に付勢されるので、がたつきが抑制される。そして、ばね部１７及び１８（６７〜６９）は、透光板２４（７４）のがたつきを抑えるためのパッキン等の専用の部材ではなく、反射部１６（６６）に形成されているので、がたつき抑制のための専用部材が不要となる。よって、安価な方法で透光板２４（７４）のがたつきを抑えた照明器具が実現される。
【００６３】
また、枠体４０は、さらに、器具本体１０から出射される光を前方に反射させる内周面を有する筒体２２を有する。透光板２４は、筒体２２の前方側に配置される。ばね部１７及び１８は、筒体２２を介して透光板２４を規制部２６に押し付ける方向に付勢する。
【００６４】
これにより、ばね部１７及び１８と透光板２４との間に、筒体２２が設けられるが、ばね部１７及び１８は、筒体２２を介して透光板２４を規制部２６に押し付ける方向に付勢する。よって、透光板２４は、ばね部１７及び１８によって、間接的に、規制部２６に押し付けられ、がたつきが抑制される。
【００６５】
また、反射部１６（６６）は、さらに、開口１６ｂ（６６ｂ）の外側に形成され、かつ、前方を向く支持面１９（７０）を有する。ばね部１７及び１８（６７〜６９）は、支持面１９（７０）を切り欠いて形成された板ばね構造の片である。
【００６６】
これにより、ばね部１７及び１８（６７〜６９）は、反射部１６（６６）が有する支持面１９（７０）を切り欠くことで形成されるので、特別な材料を追加することなく、安価な方法で透光板２４（７４）のがたつきが抑えられる。
【００６７】
また、片は、支持面１９に接続され、かつ、支持面１９から前方に向けて立つ根元部１７ａ及び１８ａと、根元部１７ａ及び１８ａに接続され、かつ、支持面１９に平行に延びる延在部１７ｂ及び１８ｂとから構成される。
【００６８】
これにより、ばね部１７及び１８は、支持面１９に平行に延びる延在部１７ｂ及び１８ｂを有するので、線状の領域にわたって透光板２４を規制部２６に押し付ける方向に付勢する力を発揮し、その結果、確実に、透光板２４のがたつきが抑制される。
【００６９】
また、反射部１６が有する開口１６ｂは、前方から見た形状が円形である。片は、前方から支持面１９を見たときに、反射部１６が有する開口１６ｂの中心から放射状に広がる方向に沿って延びている。
【００７０】
これにより、ばね部１７及び１８を構成する片は、前方から支持面１９を見たときに、反射部１６が有する開口１６ｂの中心から放射状に広がる方向に沿って延びているので、円筒構造の筒体２２の後端部と交差するように接触する箇所が確実に発生する。その結果、確実に、ばね部１７及び１８よって、筒体２２を介して、透光板２４が規制部２６に押し付けられ、透光板２４のがたつきが抑制される。
【００７１】
また、ばね部１７及び１８（６７〜６９）は、支持面１９（７０）の少なくとも２か所に形成されている。
【００７２】
これにより、支持面１９（７０）の複数の箇所にばね部１７及び１８（６７〜６９）が形成されるので、一箇所にばね部が形成される場合に比べ、より確実に、透光板２４（７４）が規制部２６（７６）に押し付けられ、透光板２４（７４）のがたつきが抑制される。
【００７３】
以上、本発明に係る照明器具について、実施の形態１及び２に基づいて説明したが、本発明は、これらの実施の形態に限定されない。本発明の趣旨を逸脱しない限り、当業者が思いつく各種変形を本実施の形態に施したものや、異なる実施の形態における構成要素を組み合わせて構築される形態も、本発明の範囲内に含まれる。
【００７４】
たとえば、上記実施の形態では、反射部１６及び６６は、白色樹脂材料による一体成型品であったが、アルミニウム等の金属材料で構成されてもよいし、反射面にアルミニウム等の金属反射膜が形成された樹脂成型品であってもよい。
【００７５】
また、反射部に設けられるばね部は、実施の形態１では、反射部１６の開口１６ｂの中心から放射状に広がる方向に沿って延びる片であり、実施の形態２では、周方向に延びる片であったが、これら両方向に延びる片の混在であってもよい。
【００７６】
また、上記実施の形態では、規制部２６及び７６は、枠体の内周面に形成された突起であったが、枠体とは別体の構造物であって、枠体に収納されて固定される物（例えば、反射面を有する漏斗形状の筒体等）であってもよい。
【００７７】
また、上記実施の形態では、照明器具２及び５２は、埋込型の照明器具であったが、これに限られない。照明器具２及び５２は、例えば、スポットライト等であってもよい。
【００７８】
また、上記実施の形態では、光源１４及び６４として、ＣＯＢタイプのＬＥＤ光源が用いられたが、ＳＭＤ（Ｓｕｒｆａｃｅ  Ｍｏｕｎｔ  Ｄｅｖｉｃｅ）タイプのＬＥＤ光源が用いられてもよい。さらに、光源１４及び６４は、半導体レーザ等の半導体発光素子、有機ＥＬ（Ｅｌｅｃｔｒｏ  Ｌｕｍｉｎｅｓｃｅｎｃｅ）や無機ＥＬ等のＥＬ素子等の発光素子であってもよい。
【符号の説明】
【００７９】
２、５２  照明器具
１０、６０  器具本体
１４、６４  光源
１６、６６  反射部
１６ａ、６６ａ  反射面
１６ｂ、６６ｂ  開口
１７、１８、６７、６８、６９  ばね部
１７ａ、１８ａ  根元部
１７ｂ、１８ｂ  延在部
１９、７０  支持面
２２、７２  筒体
２４、７４  透光板
２６、７６  規制部
３２、８２  板ばね
４０、９０  枠体
【図１】
0006355084.tif 000002
【図２】
0006355084.tif 000003
【図３Ａ】
0006355084.tif 000004
【図３Ｂ】
0006355084.tif 000005
【図４Ａ】
0006355084.tif 000006
【図４Ｂ】
0006355084.tif 000007
【図５】
0006355084.tif 000008
【図６】
0006355084.tif 000009
【図７Ａ】
0006355084.tif 000010
【図７Ｂ】
0006355084.tif 000011